(57)【要約】本発明の目的は、パネルから放射される音の音質を変化させることができる電子機器を提供することである。  本発明の電子機器は、内蔵された振動源で発生した音波を放射する第一の音孔を有する電子機器本体と、第一の音孔に対応する位置に第二の音孔を有し、電子機器本体に装着されるパネルと、を備え、電子機器本体とパネルとは、第一の音孔と第二の音孔とが形成される領域を含む所定の領域において、離間しており、第二の音孔を第一の音孔に投影した場合に、第一の音孔と第二の音孔とが重なる領域の断面積は、第一の音孔の断面積よりも小さい。
2011010713.tif 000002
【特許請求の範囲】
【請求項１】
内蔵された振動源で発生した音波を放射する第一の音孔を有する電子機器本体と、
前記第一の音孔に対応する位置に第二の音孔を有し、前記電子機器本体に装着されるパネルと、を備え、
前記電子機器本体と前記パネルとは、前記第一の音孔と前記第二の音孔とが形成される領域を含む所定の領域において、離間しており、
前記第二の音孔を前記第一の音孔に投影した場合に、前記第一の音孔と前記第二の音孔とが重なる領域の断面積は、前記第一の音孔の断面積よりも小さいことを特徴とする電子機器。
【請求項２】
前記第二の音孔の断面積は前記第一の音孔の断面積よりも小さいことを特徴とする請求項１に記載の電子機器。
【請求項３】
前記電子機器本体と前記パネルとの間には、前記電子機器本体と前記パネルとの間の隙間を仕切る仕切部が形成されていることを特徴とする、請求項１または２に記載の電子機器。
【請求項４】
前記電子機器本体と前記パネルとの間には、前記第一および第二の音孔と連通し、所定の体積を有する空気室が形成されていることを特徴とする請求項１乃至３のいずれか一項に記載の電子機器。
【請求項５】
前記所定の領域における、前記電子機器本体と前記パネルとの間に、吸音材が設けられていることを特徴とする請求項１乃至３のいずれか一項に記載の電子機器。
【発明の詳細な説明】
【技術分野】
【０００１】
本発明は、振動源を備える電子機器に関する。
【背景技術】
【０００２】
近年、筐体外面に装飾パネルを装着することにより、デザインを変更可能にした携帯端末が販売されている。
デザインが変更可能な携帯端末が、例えば特許文献１に記載されている。特許文献１に記載の携帯端末は、キー操作部と、表示部と、コンテンツ特定情報と、デザインパネル情報テーブルと、記憶部と、制御部と、を備える。コンテンツ特定情報は、デザインパネルの装着時にのみ読み出し可能な秘匿コンテンツと使用者により入力された使用者設定コンテンツとの何れを使用するかを、デザインパネル（装飾パネル）の種類別に特定する情報である。デザインパネル情報テーブルは、デザインパネルに対応する待受画面またはメニュー画面のコンテンツを含むコンテンツ表からなる。記憶部は、秘匿コンテンツまたは使用者設定コンテンツのコンテンツデータを記憶する。制御部は、装着されたデザインパネルの種類を検出し、検出したデザインパネルの種類に基づいてデザインパネル情報テーブルを参照する。そして、コンテンツ特定情報及びコンテンツ表で特定されたコンテンツデータを読み出し、読み出したデータを表示部等に設定する。この携帯端末によれば、待受画面やメニュー画面などを、装着するデザインパネルに対応する画面に切替えることができる。
また、受信器の周波数特性を制御し、音質を変化させることができる電話機が、例えば特許文献２に開示されている。
【先行技術文献】
【特許文献】
【０００３】
【特許文献１】特開２００８−４２８２４号公報
【特許文献２】特開平１０−１５０６９８号公報
【発明の開示】
【発明が解決しようとする課題】
【０００４】
特許文献１に記載の携帯端末においては、スピーカから放射される音のイメージ（音質）を変化させることはできない。
また、特許文献２に記載の電話機においては、音質を変化させるための部品が多く、構造の複雑化、大型化を招いてしまう。
本発明は、上述する事情に鑑みてなされたもので、パネルから放射される音の音質を変化させることができる電子機器を提供することを目的とする。
【課題を解決するための手段】
【０００５】
本発明における電子機器は、内蔵された振動源で発生した音波を放射する第一の音孔を有する電子機器本体と、第一の音孔に対応する位置に第二の音孔を有し、電子機器本体に装着されるパネルと、を備え、電子機器本体とパネルとは、第一の音孔と第二の音孔とが形成される領域を含む所定の領域において、離間しており、第二の音孔を第一の音孔に投影した場合に、第一の音孔と第二の音孔とが重なる断面積は、第一の音孔の断面積よりも小さい。
【発明の効果】
【０００６】
本発明によれば、電子機器のパネルから放射される音の音質を変化させることができる。
【図面の簡単な説明】
【０００７】
【図１】（ａ）は本発明の第１の実施形態による電子機器の一例を示す図、（ｂ）は（ａ）のＡ−Ａ′線断面図である。
【図２】（ａ）は本体音孔とパネル音孔の位置関係を示す図、（ｂ）は本体音孔とパネル音孔の他の位置関係を示す図である。
【図３】本発明の第１の実施形態における電子機器の他の構造の例を示す図である。
【図４】（ａ）は本発明の第２の実施形態による電子機器の一例を示す図、（ｂ）は（ａ）のＢ−Ｂ′線断面図である。
【図５】本発明の第２の実施の形態による電子機器の音響等価回路を示す図である。
【図６】共振が起こる経路を示す図である。
【図７】周波数と音圧の関係を示す図である。
【図８】本発明の第３の実施形態による電子機器の一例を示す図である。
【図９】本発明の第４の実施形態による電子機器の一例を示す図である。
【図１０】（ａ）は本発明の第５の実施形態による電子機器の一例を示す図、（ｂ）は（ａ）のＣ−Ｃ′線断面図である。
【図１１】本発明の第５の実施形態による電子機器の音響等価回路を示す図である。
【図１２】（ａ）は本発明に関連する携帯端末の一例を示す図、（ｂ）は（ａ）のＤ−Ｄ′線断面図である。
【図１３】（ａ）は本発明に関連する携帯端末の本体音孔とパネル音孔の位置関係を示す図、（ｂ）は本体音孔とパネル音孔の他の位置関係を示す図である。
【発明を実施するための形態】
【０００８】
本発明の実施の形態について図面を参照しながら説明する。しかしながら、係る形態は本発明の技術的範囲を限定するものではない。
［第１の実施形態］
本発明の第１の実施形態における電子機器について、図１に基づいて説明する。
本実施形態における電子機器１は、電子機器本体２と、パネル３とを備える。図１（ａ）は、電子機器本体２にパネル３を装着する前の状態を示す。図１（ｂ）は、電子機器本体２にパネル３を装着した状態における、電子機器１のＡ−Ａ′線断面図を示す。
図１（ａ）、（ｂ）に示すように、電子機器本体２は、内蔵された振動源４で発生した音波を放射する第一の音孔５と、凸部７とを有する。パネル３は、第一の音孔５に対応する位置に第二の音孔６を有する。また、電子機器本体２とパネル３とは、凸部７の存在により、第一の音孔５および第二の音孔６とが形成される領域を含む所定の領域において離間する。更に、第二の音孔６を第一の音孔５に投影した場合に、第一の音孔５と第二の音孔６とが重なる領域の断面積は、第一の音孔５の断面積よりも小さい。
なお、本実施形態でいう「孔の断面積」とは、孔の始点あるいは終点となる開口部の開口面積を意味する。また、第一の音孔５と第二の音孔６とが重なる領域の断面積とは、第一の音孔５の開口部と第二の音孔６の開口部とが重なる領域の面積を意味する。
図２には、パネル３を電子機器本体２に装着した状態で、パネル３上部から第二の音孔６を観察した状態を示す。図２（ａ）に示すように、パネル３上部から観察した場合において、第一の音孔５と第二の音孔６が完全に重なる構成としても良い。この場合、第一の音孔５の断面積は第二の音孔６の断面積よりも大きい。あるいは、図２（ｂ）に示すように、第一の音孔５と第二の音孔６が一部で重なる構成としても良い。この場合、第一の音孔５の断面積は第二の音孔６の断面積よりも大きくてもよいし、小さくても良い。
次に、本実施形態における作用、効果について述べる。
本実施形態における電子機器１においては、電子機器本体２とパネル３とが、第一の音孔５および第二の音孔６とその周辺の領域において離間している。そのため、電子機器本体２とパネル３との間の体積を調整して音響コンプライアンス要素を付加することができる。また、第二の音孔６を第一の音孔５に投影した場合に第一の音孔５と第二の音孔６とが重なる領域の断面積は、第一の音孔５の断面積よりも小さい。そのため、第二の音孔６の断面積や位置を調整することで、音響イナータンスを付加することができる。そして、付加された音響コンプライアンス要素および音響イナータンスによって、第二の音孔６から放射される振動源４の音の音響特性を変化させることができる。これにより、音質の変化を実現することができる。
以上のように、本実施形態における電子機器１は、第二の音孔６の断面積、位置及び長さを調整することにより、第二の音孔６から放射される振動源４の音の音響特性を調整することができる。すなわち、本実施形態における電子機器１は、パネル３から放射される音の音響特性を調整することができる。そのため、電子機器１から発生する音質を変化させることが可能となる。
なお、本実施形態における電子機器１は、第一の音孔５及び第二の音孔６はそれぞれ一つずつ有する構造としたが、これに限らない。すなわち、第一の音孔５及び第二の音孔６はそれぞれ複数個設けられることとしても良い。
また、電子機器本体２は凸部７を備えることとしたが、これに限らない。例えば、図３（ａ）のように、パネル３側に凸部を設けることとしても良い。あるいは、図３（ｂ）のように、パネル３全体に厚みをもたせて、第二の孔６の周辺だけを窪ませる構成としても良い。なお、図３（ａ）、（ｂ）はそれぞれ、パネル３を裏面（電子機器本体２と対向する面）から観察した図である。ただし、これらの構造に限らず、電子機器本体２とパネル３とが、第一の音孔５及び第二の音孔６が形成される領域を含む所定の領域において離間する構造であればよい。
なお、電子機器は一般的に、本体音孔から放射される音をなるべく変化させないように設計されることが多かった。また、本体音孔とパネル音孔との間に隙間が生じることで、音響面での弊害が生じることが懸念されていた。そのため、一般的には、図１２及び図１３に示す携帯端末１０１のように、装飾パネル１０３は携帯端末本体１０２に密着するよう設計されることが多かった。なお、携帯端末本体１０２には、図１２（ａ）、（ｂ）に示すように、スピーカ１０７が内蔵されている。また、図１３（ａ）に示すように、パネル音孔１１６は本体音孔１０８よりも大きく形成されることが一般的であった。あるいは、図１３（ｂ）に示すように、本体音孔１０８が装飾パネル１０３によって塞がれる部分が、極力小さくなるように設計されていた。
しかしながら、本実施形態における電子機器１においては、図１２、図１３の構造とは異なる、上述した構成を備えることにより、電子機器から発生する音質を所望の音質に変化させることが可能となった。
［第２の実施形態］
本発明の第２の実施形態における電子機器について、図４乃至図７を用いて説明する。図４に示すように、本実施形態における電子機器である携帯端末１１は、電子機器本体１２と装飾パネル（パネル）１３とを備える。
携帯端末本体１２は、ディスプレイ側本体１４と、操作キーを有するキー側本体１５とを備える。ディスプレイ側本体１４とキー側本体１５とは、ヒンジ部１６を介して折りたたみ可能である。ディスプレイ側本体１４には、振動源としてのスピーカ１７が内蔵されている。また、ディスプレイ側本体１４の裏側（ディスプレイの無い側）の表面に設けられたカバー１４ａには、本体音孔１８が設けられている。この本体音孔１８は、スピーカ１７と重なる位置に設けられており、スピーカ１７の音を放射する。
図４（ｂ）に示すように、ディスプレイ側本体１４の内部には、本体音孔１８を取り囲むようにスピーカ１７とカバー１４ａとに密着する第一のクッション材１９が配設されている。この第一のクッション材１９によってスピーカ１７とカバー１４ａとは仕切られ、スピーカ１７とカバー１４ａとの間の空間が第一の空気室２０を構成する。
また、第一のクッション材１９は、ゴムなどの気密材料で形成され、スピーカ１７とカバー１４ａとを所定の間隔で離間させるためのスペーサとしての役割も果たしている。
スピーカ１７は、第一のクッション材１９が配設された面と反対側の面がディスプレイ１４ｂの裏側と対向している。スピーカ１７とディスプレイ１４ｂとは離間しており、スピーカ１７とディスプレイ１４ｂとの間には空間２１が形成されている。
装飾パネル１３は、ディスプレイ側本体１４の裏側に装着される脱着可能なパネルである。この装飾パネル１３を変えることによって、携帯端末１１のデザインを変化させることができる。
また、装飾パネル１３には、装飾パネル１３を携帯端末本体１２に装着した状態において本体音孔１８に対応する位置に、パネル音孔２６が形成されている。
図４（ｂ）に示すように、装飾パネル１３はディスプレイ側本体１４のカバー１４ａと離間している。本実施の形態では、ディスプレイ側本体１４の裏側に凹部が形成されている。そして、装飾パネル１３が凹部の上面に装着されることで、ディスプレイ側本体１４のカバー１４ａと離間している。
本体音孔１８およびパネル音孔２６を取り囲むように装飾パネル１３とカバー１４ａとに密着する第二のクッション材２７が配設されている。この第二のクッション材２７に仕切られた空間は第二の空気室２８を構成している。すなわち、第二のクッション材２７は、本体音孔１８とパネル音孔２６との間の隙間の仕切部としての役割を果たしている。
第二のクッション材２７は、ゴムなどの気密材料で形成され、装飾パネル１３とカバー１４ａとを所定の間隔で離間させるためのスペーサの役割も果たしている。
なお、本体音孔１８とパネル音孔２６との位置関係は第１の実施形態と同様である。すなわち、図２（ａ）に示すように、パネル音孔２６は、その断面積が本体音孔１８よりも小さく形成されている。また、パネル音孔２６は本体音孔１８と完全に重なっている。また、図２（ｂ）に示すように、パネル音孔２６は、その一部が本体音孔１８の一部と重なっていてもよい。この場合、パネル音孔２６は、断面積が本体音孔１８と同じ又は大きく形成されていてもよい。
更に、装飾パネル１３およびディスプレイ側本体１４には、爪部とこの爪部の受け部などの係止部材（図示せず）を備える。これにより、装飾パネル１３がディスプレイ側本体１４の所定の位置に装着される。なお、装飾パネル１３は、係止部材ではなく、接着剤やビスなどでディスプレイ側本体１４に装着されてもよい。
次に、携帯端末１１の音響特性の調整について、図５に示す音響等価回路図を用いて説明する。
図５に示すように、音響等価回路上では、スピーカ１７の音圧を電圧源Ｐとする。第一および第二の空気室２０、２８、スピーカ１７背面の空間２１の音響コンプライアンスはキャパシタンスとする。また、本体音孔１８およびパネル音孔２６内部の音響イナータンスはインダクタンスとする。
本実施の形態による携帯端末１１の音響特性の調整では、装飾パネル１３のパネル音孔２６と第二の空気室２８の形状を調整して行う。なお、携帯端末本体１２の第一の空気室２０、スピーカ１７背面の空間２１および本体音孔１８の形状は変更しない。
第一の空気室２０の音響コンプライアンスＣｆ１は、第一の空気室２０の体積をＶ１とすると数式（１）のように表わされる。
Ｃｆ１＝Ｖ１／ρｃ２    ・・・（１）
ρは空気の質量密度、ｃは音速を示す。
第二の空気室２８の音響コンプライアンスＣｆ２は、第二の空気室２８の体積をＶ２とすると数式（２）のように表わされる。
Ｃｆ２＝Ｖ２／ρｃ２    ・・・（２）
また、スピーカ１７背面の空間２１の音響コンプライアンスＣｂは、スピーカ１７背面の空間２１の体積をＶｂとすると数式（３）のように表わされる。
Ｃｆｂ＝Ｖｂ／ρｃ２    ・・・（３）
上述した数式（１）、（２）、（３）からわかるように、第一及び第二の空気室２０、２８、スピーカ１７背面の空間２１の体積を調整することによって、各音響コンプライアンスＣｆ１、Ｃｆ２、Ｃｂを調整することができる。
本実施の形態では、第二の空気室２８の体積Ｖ２を調整して音響コンプライアンスＣｆ２を調整する。第二の空気室２８の体積の調整は、第二のクッション材２７の設置位置や高さを変化させて行う。
本体音孔１８の音響イナータンスＬｆ１は、本体音孔１８の断面積をＳ１、本体音孔１８の長さをｌ１とすると数式（４）のように表わされる。
Ｌｆ１＝ρｌ１／Ｓ１    ・・・（４）
ここで、ρは空気の質量密度である。
パネル音孔２６の音響イナータンスＬｆ２は、パネル音孔２６を本体音孔１８に投影した際に重なるパネル音孔２６と本体音孔１８の断面積をＳ２、パネル音孔２６の長さをｌ２とすると数式（５）のように表わされる。
Ｌｆ２＝ρｌ２／Ｓ２    ・・・（５）
数式（４）、（５）からわかるように、本体音孔１８の断面積および長さと、パネル音孔２６の断面積、位置および長さ（装飾パネル１３の厚さ）を調整することによって各音響イナータンスＬｆ１、Ｌｆ２を調整することができる。
本実施の形態では、パネル音孔２６の断面積、位置および長さを調整して音響イナータンスＬｆ２を調整する。
また、図５に示す音響等価回路中において本体音孔１８の音響抵抗をＲｆ１、パネル音孔２６の音響抵抗をＲｆ２とし、装飾パネル１３の放射インピーダンスをＺａｉｒとする。
放射インピーダンスＺａｉｒは数式（６）に表わされる。
2011010713.tif 000003
ここで、ｒはパネル音孔２６の半径、ｋは波数、ＪはＢｅｓｓｅｌ関数、ＫはＳｔｒｕｖｅ関数、ｊは虚数単位、Ｎはパネル音孔２６の数である。
数式（６）からわかるように、パネル音孔２６の半径や数を調整することによって放射インピーダンスＺａｉｒを調整することができる。そして、スピーカ１７から放射される音の音圧は、放射インピーダンスＺａｉｒに流れる電流（体積速度）と電圧（音圧）により決定されるの。そのため、パネル音孔２６の半径や数を調整することによってスピーカ１７の音圧を調整することができる。
図５において一点鎖線で示されるエリアＡは、本体音孔１８と第一の空気室２０により構成される音響要素となる。また、エリアＢはパネル音孔２６と第二の空気室２８による音響要素となる。本実施の形態では、エリアＢにおける音響要素を調整することになる。
次に、スピーカ１７の音響放射面において生じる音響的な共振について図面を用いて説明する。
図６における共振Ｓ１は、図４に示す携帯端末本体１２と装飾パネル１３との間で起こる共振を示す。また、図６における共振Ｓ２は、装飾パネル１３と放射インピーダンス、すなわちパネル音孔２６の外の空気との間でおこる共振を示す。
共振Ｓ１が大きくなると、その共振周波数において装飾パネル１３の放射インピーダンスＺａｉｒには電流が流れにくくなる。そのため、最終的に装飾パネル１３から放射される音圧のカットを行うことができる。
また、共振Ｓ２を起こすことにより所望の周波数にピークをつくることができる。これにより、音圧のブーストを行うことができる。
そして、所定の周波数帯域で音圧のカットを行い、別の所定の周波数にピークをつくることで音圧のブーストを行う。これにより、パネル音孔２６から放射される音の音響特性を調整する。
次に、携帯端末１１の音響特性を調整し、その音響特性を測定して確認を行った結果を示す。音響特性の測定では、各携帯端末の音孔軸上１０ｃｍにおいてマイクで音圧を測定した。
まず、本発明に関連する携帯端末１０１の音響特性の測定を行った。
図７に示すａは、装飾パネルが装着されていない携帯端末の周波数と音圧の関係を示す。図７に示すｂは、図１２に示す装飾パネル１０３が装着された携帯端末１０１の周波数と音圧の関係を示す。
図７においてａおよびｂを比較することによって、装飾パネル１０３を装着した携帯端末１０１の音響特性は、装飾パネルを装着していない携帯端末の音響特性と差分がほとんど無いことがわかる。
次に、本実施形態による装飾パネル１３を用いて調整された携帯端末の音響特性の測定を行った。
図７におけるｃは、装飾パネル１３が装着されて６ＫＨｚ付近に音圧ピークが形成された携帯端末１１の音圧と周波数の関係を示している。６ＫＨｚ付近に音圧ピークが形成されることにより、音の明瞭感をアップさせることができる。
また、図７におけるｄは、装飾パネル１３が装着されて４ＫＨｚ付近に音圧ピークが形成される共に、６ｋＨｚ付近の音圧ピークと６ｋＨｚ以上の高音がカットされた携帯端末１１の音圧と周波数の関係を示している。４ＫＨｚ付近に音圧ピークが形成される共に、６ｋＨｚ付近の音圧ピークと６ｋＨｚ以上の高音がカットされることにより、人間の耳に音量感を与えることができる。
このとき、装飾パネル１３のデザインと調整された音のイメージとをあわせてもよい。例えば、図７におけるｃのように音の明瞭感をアップさせた特性を有する装飾パネル１３は、音のイメージに相当する「シャキシャキ」、「はっきりクリア」、「シャープ」というような文言に見合うデザインとする。
また、例えば、図７におけるｄのように人間の耳に音量感を与える装飾パネル１３は、音のイメージに相当する「ラウド」、「パンチが効いた」、「大音量」、「アグレッシブ」というような文言に見合うデザインとする。
なお、音のイメージは一例であり、任意に決定することができる。また、装飾パネル１３のデザインと音のイメージとは一致させなくてもよい。
次に、本実施形態の携帯端末１１の作用について図面を用いて説明する。
本実施形態の携帯端末１１では、装飾パネル１３にパネル音孔２６が設けられ、装飾パネル１３と携帯端末本体１２との間に第二の空気室２８が設けられている。そして、第二の空気室２８の体積を調整して音響コンプライアンスＣｆ２を調整する。また、パネル音孔２６の断面積、位置および長さを調整して音響イナータンスＬｆ２を調整する。そして、パネル音孔２６の半径や数を調整して放射インピーダンスＺａｉｒを調整することで、パネル音孔２６から放射されるスピーカ１７の音の音響特性を調整することができる。
また、携帯端末本体１２と装飾パネル１３との間で共振Ｓ１が起こり、装飾パネル１３とパネル音孔２６の外の空気との間で共振Ｓ２が起こる。これにより、所定の周波数帯域で音圧のカットを行うことができ、他の所定の周波数にピークをつくることができる。これにより、音圧のブーストを行うことができるので、パネル音孔２６から放射される音の音響特性を調整することができる。
以上のように、本実施形態の携帯端末１１によれば、パネル音孔２６から放射される音の音響特性を調整することができる。そのため、パネル音孔２６から放射される音の音質を変化させることができる。
また、バイブレータを搭載した携帯端末などの電子機器においては、バイブレータの振動時にビリツキ音が生じる場合がある。このビリツキ音は、バイブレータ本体やスピーカ本体を調整しないと軽減させることができず、実際には専門家による修理が必要であるという問題があった。しかしながら、本実施形態における携帯端末１１によれば、この問題を解決することができる。すなわち、携帯端末１１にバイブレータが搭載されており、該バイブレータの振動時にビリツキ音が生じる場合であっても、装飾パネル１３のパネル音孔２６の断面積等を調整することで、放射される音の音響特性がビリツキ音を相殺できる特性とすることができる。
なお、本実施形態では、ディスプレイ側本体１４がスピーカ１７を内蔵し、本体音孔１８を備える構造としたが、これに限らない。すなわち、キー側本体１５がスピーカ１７を内蔵し、本体音孔１８を備える構造としても良い。そして、装飾パネル１３はキー側本体１５に装着されることとしてもよい。
［第３の実施形態］
次に、本発明の第３の実施形態について説明する。なお、第２の実施形態と同一又は同様な部材、部分には同一の符号を用いて説明を省略する。
図８に示すように、本実施形態の携帯端末３１においては、スピーカ３７が内蔵されたディスプレイ側本体３４の側面に、凹部３４ｂが形成されている。また、凹部３４ｂに本体音孔３８が設けられている。装飾パネル３３は、ディスプレイ側本体３４の裏面の一部と側面の一部を覆うパネルで、本体音孔３８に相当する位置にパネル音孔４６を備えている。
装飾パネル３３はディスプレイ側本体３４の側面に凹部３４ｂを覆うように装着されて、この凹部３４ｂと装飾パネル３３との間の空間が第二の空気室４８となる。
本実施の形態による携帯端末３１は、以上の構成により、第２の実施形態と同様の効果を得ることができる。
なお、装飾パネル３３はディスプレイ側本体３４の外側面の全部と側面の全部を覆うパネルとしてもよく、側面のみを覆うパネルとしてもよい。
また、第２の実施の形態と同様に、ディスプレイ側本体３４と装飾パネル３３との間にクッション材を設けて仕切ってもよい。
また、本体音孔３８はディスプレイ側本体３４のディスプレイのある面に設けられていてもよい。また、装飾パネル３３は、本体音孔３８およびディスプレイを覆うパネルとしてもよいし、本体音孔３８のみを覆うパネルとしてもよい。
［第４の実施形態］
次に、本発明の第４の実施形態における携帯端末について説明する。
図９に示すように、本実施形態の携帯端末５１においては、スピーカ５７が内蔵されたキー側本体５５の操作キーが設置されている面に凹部５５ｂが形成されている。また、凹部５５ｂに本体音孔５８が設けられている。装飾パネル５３は、この凹部５５ｂの上面に装着されるパネルで、パネル音孔６６を備えている。
この凹部５５ｂと装着パネル５３との間の空間が第二の空気室６８となる。
本実施形態による携帯端末５１では、第２の実施形態と同様の効果を奏する。
なお、本体音孔５８を設ける位置は、キー側本体５５の裏側としなくてもよい。すなわち、本体音孔５８は、キー側本体５５のキーが設置されている側や側面に設けられていてもよい。
［第５の実施形態］
次に、本発明の第５の実施形態における携帯端末について説明する。
図１０（ａ）、（ｂ）に示すように、本実施形態の携帯端末７１においては、スピーカ７７が内蔵された携帯端末本体７２と、装飾パネル７３との間に吸音材８９が設けられている。吸音材８９は本体音孔７８およびパネル音孔８６に接している。
図１１に示すように、携帯端末７１の音響等価回路においては、音響コンプライアンスＣｆ２とグランドのパスに、吸音材８９による音響抵抗Ｒｆ３が追加される。この音響抵抗Ｒｆ３をダンピングとして使用することにより、共振Ｓ２のＱ値を減少させて音圧ピークのピーク値を下げ、ピークの幅を広げることができる。これにより、パネル音孔８６から放射される音の音響特性を調整し、音質を変化させることができる。
なお、吸音材８９に代わって、発泡プラスチックやフエルトなどの音響抵抗体等を設置し音響特性を調整することもできる。
また、上述した各実施形態では、スピーカを備える携帯端末本体に装飾パネルを装着しているが、これに限らない。すなわち、携帯端末以外の電子機器や、スピーカに代わってバイブレータなどの振動源を備える電子機器に装飾パネルを装着してもよい。
また、上述した各実施形態で用いたパネルは、デザイン性のある装飾パネルとしても良いし、デザイン変更を目的とせず、音質のみを調整するパネルとしてもよい。
以上、本発明による携帯端末の実施形態について説明したが、本発明は上記の実施形態に限定されるものではない。本願発明の構成や詳細には、本願発明のスコープ内で当業者が理解し得る様々な変更をすることができる。
この出願は、２００９年７月２２日に出願された日本出願特願２００９−１７１４６５を基礎とする優先権を主張し、その開示の全てをここに取り込む。
【産業上の利用可能性】
【０００９】
本発明の電子機器は、スピーカなどの振動源を備える電子機器、例えば、携帯電話などに適用することが可能である。
【符号の説明】
【００１０】
１  電子機器
２  電子機器本体
３  パネル
４  振動源
５  第一の音孔
６  第二の音孔
７  凸部
１１、３１、５１、７１、１０１  携帯端末
１２、３２、５２、７２、１０２  携帯端末本体
１３、３３、５３、７３、１０３  装飾パネル
１４、３４  ディスプレイ側本体
１４ａ  カバー
１４ｂ  ディスプレイ
１５、５５  キー側本体
１６  ヒンジ部
１７、３７、５７、７７、１０７  スピーカ
１８、３８、５８、７８、１０８  本体音孔
１９  第一のクッション材
２０  第一の空気室
２１  空間
２６、４６、６６、８６、１１６  パネル音孔
２７  第二のクッション材
２８、４８、６８  第二の空気室
３４ｂ、５５ｂ  凹部
８９  吸音材
【図１】
2011010713.tif 000004
【図２】
2011010713.tif 000005
【図３】
2011010713.tif 000006
【図４】
2011010713.tif 000007
【図５】
2011010713.tif 000008
【図６】
2011010713.tif 000009
【図７】
2011010713.tif 000010
【図８】
2011010713.tif 000011
【図９】
2011010713.tif 000012
【図１０】
2011010713.tif 000013
【図１１】
2011010713.tif 000014
【図１２】
2011010713.tif 000015
【図１３】
2011010713.tif 000016
【国際調査報告】
2011010713.tif 000017
2011010713.tif 000018
2011010713.tif 000019
2011010713.tif 000020